(57)【要約】【課題】導光板の発光効率を向上させる遊技機を提供する。【解決手段】パチンコ遊技機で、端面１１１から入射した光Ｌ１，Ｌ２を前方に導光して発光させる導光板１１０と、これを発光させるための光Ｌ１，Ｌ２の出射面１２２が導光板１１０の端面１１１と対向配置されたＬＥＤ発光基板１２０のＬＥＤ発光部１２１とを有する発光演出装置１００を備える。また、ＬＥＤ発光部１２１から導光板１１０の端面１１１側の端部１１２までを覆って遮光空間Ｓ１を形成する遮光カバー部材１３０，１４０が設けられる。その内面には、ＬＥＤ発光部１２１側から導光板１１０の端部１１１側に向かうに従って遮光空間Ｓ１が狭くなるように傾斜した反射面となって光Ｌ２を端面１１１に導く傾斜面１３１，１４１を有する。【選択図】図５
2015076308.tif 000002
【特許請求の範囲】
【請求項１】
端面から入射した光を所定箇所に導光して発光させる導光板と、
該導光板を発光させるための光を出射し、当該光の出射面が前記導光板の前記端面と対向するように配置された光源とを有する発光演出装置を備え、
前記光源から前記導光板の前記端面側の端部までを覆って遮光空間を形成する遮光カバー部材が設けられており、
該遮光カバー部材の内面には、前記光源側から前記導光板の前記端部側に向かうに従って前記遮光空間が狭くなるように傾斜した傾斜面を有しており、該傾斜面は、前記光源から出射した光を前記導光板の前記端面に導く反射面となっていることを特徴とする遊技機。
【発明の詳細な説明】
【技術分野】
【０００１】
本発明は、遊技機に関し、特に、発光演出装置を備えた遊技機に関するものである。
【背景技術】
【０００２】
従来、パチンコ遊技機等の遊技機の中には、外周端面から入射した光を反射させて前方に導光して発光させる導光板と、導光板の外周端面に対向配置された光源とを有する発光演出装置を備えており、この発光演出装置によって所定の発光演出を行うものがある（例えば、特許文献１参照。）。
【先行技術文献】
【特許文献】
【０００３】
【特許文献１】特開２０１０−１１９６６４号公報
【発明の概要】
【発明が解決しようとする課題】
【０００４】
これに対し、近年、インパクトのある発光演出を行うために、前記したような導光板の大型化が進んでいる。ここで、大型化した導光板を明るく発光させるためには、導光板の厚さ方向の寸法を薄くすると共に、大型の光源を用いて光源からの出射光量を増加させることが好ましい。しかしながら、導光板が薄くなると、光源からの光が導光板の端面において当該導光板の外側に漏れ易くなり、発光効率が低下してしまうという問題が生じていた。
【０００５】
本発明は、このような事情に鑑みてなされたものであり、導光板における発光効率を向上させることができる遊技機を提供することを目的とする。
【課題を解決するための手段】
【０００６】
かかる課題を解決するために、本発明の請求項１に記載の発明は、端面から入射した光を所定箇所に導光して発光させる導光板と、該導光板を発光させるための光を出射し、当該光の出射面が前記導光板の前記端面と対向するように配置された光源とを有する発光演出装置を備え、前記光源から前記導光板の前記端面側の端部までを覆って遮光空間を形成する遮光カバー部材が設けられており、該遮光カバー部材の内面には、前記光源側から前記導光板の前記端部側に向かうに従って前記遮光空間が狭くなるように傾斜した傾斜面を有しており、該傾斜面は、前記光源から出射した光を前記導光板の前記端面に導く反射面となっている遊技機としたことを特徴とする。
【０００７】
請求項１に係る発明によれば、導光板における発光効率を向上させることができる。
【図面の簡単な説明】
【０００８】
【図１】本発明の実施の形態におけるパチンコ遊技機の正面図である。
【図２】同パチンコ遊技機の遊技盤ユニットの斜視図である。
【図３】図２の遊技盤ユニットの分解斜視図である。
【図４】同パチンコ遊技機の導光板にＬＥＤ発光基板と前遮光カバー部材と後遮光カバー部材を組み付けた状態の斜視図である。
【図５】図４のＬＥＤ発光基板、前遮光カバー部材及び後遮光カバー部材付近の拡大側面図である。
【図６】同パチンコ遊技機の前遮光カバー部材の斜視図である。
【図７】同パチンコ遊技機の後遮光カバー部材の斜視図である。
【図８】同パチンコ遊技機の導光板にＬＥＤ発光基板と前遮光カバー部材と後遮光カバー部材を組み付けた変形例におけるＬＥＤ発光基板、前遮光カバー部材及び後遮光カバー部材付近の拡大側面図である。
【発明を実施するための形態】
【０００９】
以下、本発明の実施の形態における遊技機として、パチンコ遊技機を例にして図面を参照しながら説明する。なお、以下の説明では、パチンコ遊技機を遊技者から見て、手前側をパチンコ遊技機の前側（表面側）とし、奥側をパチンコ遊技機の後側（裏面側）として、前後方向を規定する。また、パチンコ遊技機を遊技者から見て、左手側をパチンコ遊技機の左側とし、右手側をパチンコ遊技機の右側として、左右方向を規定する。
【００１０】
まず、本実施の形態におけるパチンコ遊技機全体の概略構成について、図１〜図３を用いて説明する。図１は、本実施の形態におけるパチンコ遊技機の正面図であり、図２は、同パチンコ遊技機の遊技盤ユニット５の斜視図であり、図３は、図２の遊技盤ユニット５の分解斜視図である。
【００１１】
本実施の形態におけるパチンコ遊技機は、図１に示すように、外枠１、前枠２、窓枠３及び当該窓枠３に覆われた遊技盤６を含む遊技盤ユニット５（図２）などを備えている。また、図示は省略するが、パチンコ遊技機の裏面には、液晶ディスプレイ型の表示装置２０（図２）等の表示制御や可動演出装置（図示省略）及びＬＥＤなどの発光装置（図示省略）等による遊技演出の制御を行う表示演出サブ制御基板等のサブ制御基板、入賞時におけるパチンコ遊技機の動作等を含むパチンコ遊技機の主要な動作を制御する主制御基板、遊技球の払い出し動作を制御する払出基板、各基板等に電源を供給する電源基板等の各種基板が取り付けられている。
【００１２】
具体的に、外枠１は、図１に示すように、パチンコホールの台島に設置されており、前後面が開口するように四角形状に形成されている。前枠２は、外枠１の前端面に左側辺部の垂直な軸を中心に回動可能に装着されている。また、図１に示すように、この前枠２には、窓枠３と、下皿ユニット４と、遊技盤６を含む遊技盤ユニット５（図２）とが取り付けられている。
【００１３】
窓枠３は前枠２の前面に装着されている。この窓枠３は前枠２と一体となって、前記した軸を中心に回動可能となっている。窓枠３の中央には、図１に示すように、正面視で略円形状の窓枠開口部７が形成されている。この窓枠開口部７は、ガラス又はアクリル等の透明板８により被覆されている。また、窓枠開口部７の下方には、上皿ユニット９が配設されており、ここに、賞球や貸球を受けて貯留し、当該遊技球を発射装置（図示省略）に導く上皿１０が配置されている。また、窓枠開口部７の左右上方には、スピーカ１１がそれぞれ配設されている。また、窓枠３には複数の装飾ＬＥＤ（図示省略）が配設されている。
【００１４】
下皿ユニット４は、図１に示すように、前枠２の下部であって窓枠３の下方に取り付けられている。この下皿ユニット４の中央部には、上皿１０から溢れた遊技球が貯留される下皿１２が配設されている。また、下皿ユニット４の右部であって下皿１２の右方には、上皿１０に貯留された遊技球を後述する遊技領域６Ａに発射するための発射装置を遊技者が操作する操作ハンドル１４が配設されている。
【００１５】
遊技盤ユニット５は、図２及び図３に示すように、遊技球が転動する遊技領域６Ａを有する遊技盤６を前側に有し、遊技演出に関する画像を表示する表示装置２０を後側に有しており、遊技盤６と表示装置２０の間に、当該表示装置２０を裏側から取り付けると共に遊技盤６などを表側から取り付けるベースとなる裏箱部材２０Ｂ、当該裏箱部材２０Ｂの表側に取り付けられて遊技盤６の裏側に配置される左装飾部材２０Ｃと右装飾部材２０Ｄと上装飾部材２０Ｅ、同じく裏箱部材２０Ｂの表側に取り付けられて遊技盤６の裏側に配置されて発光演出を行う発光演出装置１００を有する構成となっている。そして、裏箱部材２０Ｂに、裏側から表示装置２０を取り付け、表側から発光演出装置１００を取り付けた上で、左装飾部材２０Ｃと右装飾部材２０Ｄと上装飾部材２０Ｅを取り付け、さらに表側から遊技盤６を取り付けて、これらの部材が一体化した遊技盤ユニット５となっている。
【００１６】
なお、図３における左装飾部材２０Ｃと右装飾部材２０Ｄと上装飾部材２０Ｅについては、装飾が施されるベース部分のみを図示し、装飾部分の図示を省略している。また、図２及び図３における遊技盤６については、装飾の一部の図示を省略している。また、裏箱部材２０Ｂ、左装飾部材２０Ｃ、右装飾部材２０Ｄ、上装飾部材２０Ｅについては、前記した概略説明に留め、詳細な説明を省略する。
【００１７】
次に、本実施の形態の遊技盤６及び表示装置２０について、図２及び図３を用いて詳細に説明する。遊技盤６は、図２に示すように、透明な板状の遊技板６Ｋを備えた部材であり、この遊技板６Ｋにおける遊技者側の面である表面側に、遊技球が転動する領域である遊技領域６Ａが形成される部材である。遊技盤６は、窓枠３の後方であって、正面視で前枠２の下部を除く略全面に渡って配置されている。なお、遊技盤６の遊技領域６Ａは、窓枠３の窓枠開口部７の後方に配置され、前方から透明板８を介して視認可能に構成されている。
【００１８】
遊技板６Ｋには、図２に示すように、表面側に、外側ガイドレール６Ｂと内側ガイドレール６Ｃが固定されており、この外側ガイドレール６Ｂと内側ガイドレール６Ｃの間に、発射装置から発射された遊技球の発射通路６Ｄが区画形成されている。また、外側ガイドレール６Ｂ及び内側ガイドレール６Ｃで囲まれた内側領域に、遊技球が転動する遊技領域６Ａが区画形成されている。この遊技領域６Ａには、複数の遊技釘６Ｌが打ち込まれており、発射通路６Ｄを通して遊技領域６Ａ内に放出された遊技球は、遊技釘６Ｌに当りながら転動して遊技領域６Ａ内を流下し、最終的に後述する何れかの入賞口又は遊技領域６Ａの最下方に位置するアウト口６Ｅに入る転動遊技を行う。
【００１９】
遊技盤６の遊技領域６Ａのほぼ中央部の後方には、図２及び図３に示すように、液晶ディスプレイ型の表示装置２０が配置されており、正面視でこの表示装置２０を囲むように遊技板６Ｋに装飾枠６Ｆが配設されている。また、表示装置２０は、大当り遊技状態を発生させるか否かの判定結果に基づき変動演出表示を行う広い面積の表示画面２０Ａを有している。
【００２０】
また、図２に示すように、遊技領域６Ａ内において、装飾枠６Ｆの下方には、第一始動入賞口１５と第二始動入賞口１６が上下に配置されている。この第一始動入賞口１５と第二始動入賞口１６は、遊技球が入賞することによって、遊技者に有利な大当り遊技状態を発生させるか否かの判定を行う起点となるものであり、上方に開口して遊技球が入賞するように形成されている。
【００２１】
また、図２に示すように、第一始動入賞口１５及び第二始動入賞口１６の右方には、大入賞口１７が配置されている。この大入賞口１７は、駆動装置により開閉する開閉蓋１７Ａを備えている。この開閉蓋１７Ａは、遊技状態が大当り遊技状態になると可動し、その際には大入賞口１７が上方に向かってポケット状に幅広く開口し、多数の遊技球が同時かつ連続的に大入賞口１７に入賞可能となる。
【００２２】
また、図２に示すように、遊技領域６Ａ内の所定位置には、遊技球が入賞可能な一般入賞口１９が上方に開口するポケット状に形成されている（本実施の形態では、遊技領域６Ａの左下部に複数の一般入賞口１９が形成されている）。
【００２３】
次に、本実施の形態の発光演出装置１００について、図３〜図７を用いて説明する。図４は、本実施の形態におけるパチンコ遊技機の導光板１１０にＬＥＤ発光基板１２０と前遮光カバー部材１３０と後遮光カバー部材１４０を組み付けた状態の斜視図であり、図５は、図４のＬＥＤ発光基板１２０、前遮光カバー部材１３０及び後遮光カバー部材１４０付近の拡大側面図であり、図６は、同パチンコ遊技機の前遮光カバー部材１３０の斜視図であり、図７は、同パチンコ遊技機の後遮光カバー部材１４０の斜視図である。
【００２４】
発光演出装置１００は、図３に示すように、遊技盤ユニット５における遊技盤６の後方に配置され、かつ、表示装置２０の前方に重なる位置に配置されている。この発光演出装置１００は、図４に示すように、無色透明の導光板１１０と、光源としてのＬＥＤ発光部１２１（図５に図示）を備えたＬＥＤ発光基板１２０と、当該ＬＥＤ発光基板１２０を前後から挟み込んでＬＥＤ発光部１２１から導光板１１０の上部の端面１１１側の端部１１２までを覆って遮光空間Ｓ１を形成する遮光カバー部材としての前遮光カバー部材１３０と後遮光カバー部材１４０とを有しており、これらが一体に組み付けられて発光演出装置１００を構成している。そして、ＬＥＤ発光部１２１から導光板１１０の上部の端面１１１（図５に図示）に光Ｌ１，Ｌ２（図５に図示）を入射させ、その光Ｌ１，Ｌ２が導光板１１０の所定箇所で反射して前方に導光されることで、前方の遊技者からホログラムのように浮き上がった所定の図形等が視認可能となるように構成されている。以下、発光演出装置１００の各構成について、詳細に説明する。
【００２５】
本実施の形態の導光板１１０は、図４に示すように、表示装置２０の表示画面２０Ａの前方に重なる位置に配置された無色透明の薄板形状の部材であり、アクリル樹脂やＡＢＳ樹脂等のプラスチック樹脂で構成されている（ここでは、透明度が高いとの理由から無色透明のアクリル樹脂で構成されている）。この導光板１１０は、表示画面２０Ａとほぼ同じ大きさに形成されており、発光していないときには、後方の表示画面２０Ａに表示された画像が遊技者からクリアに視認可能となるように構成されている。また、発光させたときでも、発光状態の導光板１１０を介して、後方の表示画面２０Ａに表示された画像が遊技者から視認可能に構成されている。
【００２６】
また、導光板１１０の裏面の所定箇所には、所定の図形や文字等を形作るように、レーザー加工やエッチング等によって当該裏面を粗面化した反射部（図示省略）が設けられている。そして、この反射部に上部の端面１１１側から入射した光Ｌ１，Ｌ２が当たると、この反射部で光Ｌ１，Ｌ２が反射して、光Ｌ１，Ｌ２を遊技者側である前方に導光されるようになっている。そして、この前方に反射された光Ｌ１，Ｌ２を遊技者から見ると、所定の図形や文字等が視認可能となるように構成されている。
【００２７】
また、ＬＥＤ発光基板１２０は、図４に示すように、遊技機の左右方向が導光板１１０の上部の端面１１１と略同じ長さに形成されており、導光板１１０の上部の端面１１１とＬＥＤ発光基板１２０上に配置された、図５に示すようなＬＥＤ発光部１２１の光Ｌ１，Ｌ２の出射面１２２が対向するように配設されている。また、ＬＥＤ発光部１２１は、ＬＥＤ発光基板１２０の左右方向に所定間隔（例えば１０ｍｍ間隔）で複数配置されている。これにより、表示演出サブ制御基板からの信号に応じて、ＬＥＤ発光基板１２０は、ＬＥＤ発光部１２１から光Ｌ１，Ｌ２を発光させ、この光Ｌ１，Ｌ２が導光板１１０の上部の端面１１１から入射して、反射部まで導光されるようになっている。
【００２８】
また、図５に示すように、このＬＥＤ発光部１２１の前後方向（導光板１１０の厚さ方向）の寸法Ｗ２は、導光板１１０の上部の端面１１１における前後方向（導光板１１０の厚さ方向）の寸法Ｗ１より大きく構成されており、平面視で導光板１１０の厚さ方向の寸法Ｗ１に対して、ＬＥＤ発光部１２１が前後に突出するように配置されている。
【００２９】
また、図５に示すように、ＬＥＤ発光部１２１から導光板１１０の上部の端面１１１側の端部１１２までを覆って、導光板１１０の上部の端面１１１にＬＥＤ発光部１２１からの光Ｌ１，Ｌ２以外の光が入射しないように外部の光から遮光するための遮光空間Ｓ１を形成する遮光カバー部材が設けられている。本実施の形態では、当該遮光カバー部材として、不透明な白色のＡＢＳ樹脂で構成され、ＬＥＤ発光部１２１の前方位置（図５におけるＬＥＤ発光部１２１の左方位置）から導光板１１０の上部の端面１１１側の端部１１２の表面側（導光板１１０の表面側である図５における導光板１１０の左側）までを前側から覆う前遮光カバー部材１３０と、同じく不透明な白色のＡＢＳ樹脂で構成され、ＬＥＤ発光部１２１の後方位置（図５におけるＬＥＤ発光部１２１の右方位置）から導光板１１０の上部の端面１１１側の端部１１２の裏面側（導光板１１０の裏面側である図５における導光板１１０の右側）までを後側から覆う後遮光カバー部材１４０を有しており、双方の遮光カバー部材１３０，１４０でＬＥＤ発光部１２１から導光板１１０の上部の端面１１１側の端部１１２までの前後を挟持するようになっている。
【００３０】
また、図５に示すように、前遮光カバー部材１３０と後遮光カバー部材１４０におけるＬＥＤ発光部１２１から導光板１１０の上部の端面１１１側の端部１１２にかけての内面には、前後方向（導光板１１０の厚さ方向）の寸法Ｗ２が大きいＬＥＤ発光部１２１から前後方向（導光板１１０の厚さ方向）の寸法Ｗ１がＬＥＤ発光部１２１より小さい導光板１１０の上部の端面１１１側の端部１１２に向かうに従って遮光空間Ｓ１が狭くなるように傾斜した傾斜面１３１，１４１を有している。すなわち、当該傾斜面１３１，１４１同士の間に形成された遮光空間Ｓ１は、ＬＥＤ発光部１２１を覆う上部の前後方向（導光板１１０の厚さ方向）の寸法Ｈ２が大きく、導光板１１０の上部の端面１１１側の端部１１２を覆う下部の前後方向（導光板１１０の厚さ方向）の寸法Ｈ１が小さくなる平面のテーパ形状となっている。そして、双方の傾斜面１３１，１４１は、ＬＥＤ発光部１２１から発せられた光Ｌ１，Ｌ２のうちの前後方向（導光板１１０の厚さ方向）における端側（前端側及び後端側）の光Ｌ２を導光板１１０の上部の端面１１１に導くように不透明で滑らかな面に形成された反射面となっている。
【００３１】
さらに詳述すると、導光板１１０の上部の端面１１１と対向するように配置されたＬＥＤ発光部１２１における出射面１２２からは、光Ｌ１，Ｌ２が下方に向けて出射されるようになっている。ここで、ＬＥＤの光は略直線状に進むため、ＬＥＤ発光部１２１から出射される光Ｌ１，Ｌ２のうちの中心部分の光Ｌ１（具体的には、平面視で導光板１１０の前後方向（導光板１１０の厚さ方向）の寸法Ｗ１内に重なる位置のＬＥＤ発光部１２１から下方に出射される光Ｌ１）は、そのまま導光板１１０の上部の端面１１１に導かれて、当該端面１１１から導光板１１０の内部に導光されるようになっている。
【００３２】
これに対し、ＬＥＤ発光部１２１から出射される光Ｌ１，Ｌ２のうちの前端側及び後端側の光Ｌ２（具体的には、平面視で導光板１１０の前後方向（導光板１１０の厚さ方向）の寸法Ｗ１と重なる位置から外れて前側及び後側に突出した部分から下方に出射される光Ｌ２）は、傾斜面１３１，１４１がないとそのまま導光板１１０の上部の端面１１１から外れた位置を下方に進んで導光板１１０の上部の端面１１１に入射しないものである。しかし、本実施の形態では、光Ｌ２が下方に向かう光路上に反射面となっている傾斜面１３１，１４１を有しているため、光Ｌ２が当該傾斜面１３１，１４１で遮光空間Ｓ１の内側に反射し、その結果、反射した光Ｌ２が、導光板１１０の上部の端面１１１に導かれるようになっている。
【００３３】
このように、ＬＥＤ発光部１２１から出射される光Ｌ１，Ｌ２のうち、直接、導光板１１０の上部の端面１１１に入射する中心部分の光Ｌ１に加えて、直接は導光板１１０の上部の端面１１１に入射しないが、反射面となった傾斜面１３１，１４１で反射して導かれる光Ｌ２が、導光板１１０の上部の端面１１１に入射するようになっているため、反射面となった傾斜面１３１，１４１を有する遮光カバー部材１３０，１４０を有していない場合と比べて、端側の光を集光させて導光板１１０をより明るく発光させることができ、導光板１１０の発光効率を向上させることができる。
【００３４】
なお、本実施の形態の傾斜面１３１，１４１は、前遮光カバー部材１３０と後遮光カバー部材１４０の材質（不透明な白色のＡＢＳ樹脂）が、反射面として光Ｌ２を充分に反射可能なものであるため、その面形状を滑らかな平面のテーパ形状とするだけで、光Ｌ２を反射させて導光板１１０の上部の端面１１１に導くことができる。しかし、これに限るものではなく、光をより反射させ易くするために、傾斜面にコーティング層を形成したり、反射板を取り付けたりして、反射面を構成するようになっていても良い。
【００３５】
また、前遮光カバー部材１３０及び後遮光カバー部材１４０の材質は、不透明なＡＢＳ樹脂に限るものではなく、不透明なポリカーボネイト樹脂等の他の樹脂で構成されていても良い。また、前遮光カバー部材１３０及び後遮光カバー部材１４０の色は、白色に限るものではなく、光を反射し易い色であれば適宜の色であっても良い。
【００３６】
また、図４に示すように、前遮光カバー部材１３０は、遊技機の左右方向が導光板１１０の上部の端面１１１と略同じ長さに形成された部材であり、図５及び図６に示すように、前遮光カバー部材１３０には、傾斜面１３１よりも上部に、ＬＥＤ発光基板１２０を保持するための保持部１３２が形成されている。本実施の形態の保持部１３２は、ＬＥＤ発光基板１２０を上から押さえるようにＬＥＤ発光基板１２０と略平行に突出形成された突起状部であり、左右に２箇所形成されている。そして、傾斜面１３１の上部からＬＥＤ発光基板１２０と略平行に延びる平面部１３４と、当該平面部１３４の端部から上方に延びる立壁部１３５から突出形成された保持部１３２との間に、ＬＥＤ発光基板１２０が挿入されることで、ＬＥＤ発光基板１２０が保持されるようになっている。
【００３７】
また、平面部１３４の端部から上方に延びる立壁部１３５には、図６に示すように、取付孔１３３が複数箇所に形成されており、この取付孔１３３を介して、ＬＥＤ発光基板１２０が保持された状態の前遮光カバー部材１３０を裏箱部材２０Ｂに取り付けるようになっている。
【００３８】
また、図４に示すように、後遮光カバー部材１４０は、遊技機の左右方向が導光板１１０の上部の端面１１１と略同じ長さに形成された長細形状の部材であり、図５及び図７に示すように、その上部角部が斜めにカットされたテーパ形状となって傾斜面１４１を形成している。そして、この後遮光カバー部材１４０が導光板１１０の後面に当接すると共に、ＬＥＤ発光基板１２０の下部に当接するようになっている。
【００３９】
そして、このような構成のパチンコ遊技機１において、遊技者が操作ハンドル１４を操作して発射装置から遊技球を発射させ、発射通路６Ｄを通って遊技領域６Ａに放出された遊技球が転動しながら流下し、第一始動入賞口１５又は第二始動入賞口１６に入賞すると、主制御基板において所定の抽選を行う。その抽選の判定結果を、表示装置２０に複数の図柄を変動後に停止させた組合せで表示し、判定結果が大当り遊技状態を発生させるものであった場合には、その複数の図柄の組合せを特定の大当り組合せで表示する。その後、大入賞口１７の開閉蓋１７Ａを開状態に可動させて大入賞口１７を上方に向かって開口させ、多数の遊技球が連続的に大入賞口１７に入賞可能となる大当り遊技状態を発生させる。
【００４０】
この大当り遊技状態の際には、遊技者が遊技球を遊技領域６Ａの右側に向かうように発射させる。すると、遊技球が発射通路６Ｄから遊技領域６Ａに放出された後、遊技領域６Ａの上側及び右側（装飾枠６Ｆの上方及び右方）を通り、遊技領域６Ａの右側に位置する大入賞口１７に到達し、多数の遊技球が当該大入賞口１７に入賞する。
【００４１】
また、このような遊技中、所定条件が成立したとき（例えば大当り予告時等）には、後方の表示装置２０の表示画面２０Ａに表示された画像に重なって、発光演出装置１００の導光板１１０に所定の図形等が浮かび上がって視認可能となるように構成されている。
【００４２】
以上のように、本実施の形態のパチンコ遊技機（遊技機）は、端面１１１から入射した光Ｌ１，Ｌ２を前方（所定箇所）に導光して発光させる導光板１１０と、該導光板１１０を発光させるための光Ｌ１，Ｌ２を出射し、当該光Ｌ１，Ｌ２の出射面１２２が前記導光板１１０の前記端面１１１と対向するように配置されたＬＥＤ発光基板１２０のＬＥＤ発光部（光源）１２１とを有する発光演出装置１００を備え、前記ＬＥＤ発光部（光源）１２１から前記導光板１１０の前記端面１１１側の端部１１２までを覆って遮光空間Ｓ１を形成する前遮光カバー部材（遮光カバー部材）１３０と後遮光カバー部材（遮光カバー部材）１４０が設けられており、前記前遮光カバー部材（遮光カバー部材）１３０と前記後遮光カバー部材（遮光カバー部材）１４０の内面には、前記ＬＥＤ発光部（光源）側１２１から前記導光板１１０の前記端部１１２側に向かうに従って前記遮光空間Ｓ１が狭くなるように傾斜した傾斜面１３１，１４１を有しており、該傾斜面１３１，１４１は、前記ＬＥＤ発光部（光源）１２１から出射した光Ｌ２を前記導光板１１０の前記端面１１１に導く反射面となっているパチンコ遊技機（遊技機）としたことを特徴とする。
【００４３】
そして、本実施の形態によれば、ＬＥＤ発光基板１２０のＬＥＤ発光部（光源）１２１から導光板１１０の端面１１１側の端部１１２までを覆うように、光Ｌ２を導光板１１０の端面１１１に導く反射面となった傾斜面１３１，１４１を内面に有する前遮光カバー部材（遮光カバー部材）１３０と後遮光カバー部材（遮光カバー部材）１４０を有することで、例えば、導光板１１０の端面１１１における導光板１１０の厚さ方向の寸法Ｗ１よりも出射面１２２における導光板１１０の厚さ方向の寸法Ｗ２が大きく構成されたＬＥＤ発光部（光源）１２１から出射された光Ｌ２が、導光板１１０の端面１１１に導かれるようになっているため、導光板１１０における発光効率を向上させることができる。
【００４４】
なお、以上説明した実施の形態は、本発明の理解を容易にするために記載されたものであって、本発明を限定するために記載されたものではない。
【００４５】
例えば、前記した実施の形態では、パチンコ遊技機を用いて説明したが、これに限るものではなく、本発明は、パチスロ遊技機や雀球遊技機、アレンジボール等の他の遊技機にも適用可能である。
【００４６】
また、前記した実施の形態では、前遮光カバー部材１３０と後遮光カバー部材１４０の双方の傾斜面１３１，１４１が導光板１１０の端面１１１側の端部１１２側に向かうに従って遮光空間Ｓ１が狭くなるように傾斜したテーパ形状となっていたが、これに限るものではない。例えば、図８に示す変形例のように、発光演出装置１００ＡにおけるＬＥＤ発光基板１２０ＡのＬＥＤ発光部１２１Ａが、導光板１１０Ａの端面１１１Ａに対して遊技機の前方にずれて配置されている場合などには、前遮光カバー部材１３０Ａの傾斜面１３１ＡはＬＥＤ発光部１２１Ａから導光板１１０Ａの端面１１１Ａ側の端部１１２Ａに向かうに従って遮光空間Ｓ２が狭くなるように傾斜したテーパ形状に形成されるが、後遮光カバー部材１４０Ａの非傾斜面１４１Ａはテーパ形状に形成されずに導光板１１０Ａの端面１１１Ａと略垂直面に形成される、というように、全ての遮光カバー部材１３０Ａ，１４０Ａの面１３１Ａ，１４１Ａが導光板１１０Ａの端面１１１Ａに向かうに従って遮光空間Ｓ２が狭くなるようには形成されておらず、一部の遮光カバー部材１３０Ａの傾斜面１３１Ａだけが導光板１１０Ａの端面１１１Ａ側の端部１１２Ａに向かうに従って遮光空間Ｓ２が狭くなる形状で、面１３１Ａ，１４１Ａで覆われる遮光空間Ｓ２の全体として、ＬＥＤ発光部（光源）１２１Ａを覆う上部の遮光空間Ｓ２における前後方向（導光板１１０の厚さ方向）の寸法Ｈ４が大きく、導光板１１０Ａの上部の端面１１１Ａ側の端部１１２Ａを覆う下部の遮光空間Ｓ２における前後方向（導光板１１０の厚さ方向）の寸法Ｈ３が小さくなる形状となっていても良い。
【００４７】
また、前記した実施の形態では、前遮光カバー部材１３０と後遮光カバー部材１４０の傾斜面１３１，１４１は、導光板１１０の端面１１１側の端部１１２に向かうに従って遮光空間Ｓ１が狭くなる形状として平面のテーパ形状に形成されていたが、これに限るものではなく、導光板の端面側の端部に向かうに従って遮光空間が狭くなる形状で、光源からの光を導光板の端面に導くことができる形状であれば、適宜の形状を適用することができる。その例としては、導光板の端面側の端部に向かうに従って曲率が変化する湾曲形状の面で遮光空間が狭くなる形状などが挙げられる。
【００４８】
また、前記した実施の形態では、遮光カバー部材として前遮光カバー部材１３０と後遮光カバー部材１４０を有しており、双方の遮光カバー部材１３０，１４０で導光板１１０を挟み込む構成となっていたが、これに限るものではなく、遮光カバー部材が１つの部材で構成されていたり、３つ以上の部材で構成されていたりしても良い。また、本発明の作用効果を得られる形状であれば、その部材の形状も適宜で良い。
【００４９】
また、前記した実施の形態では、導光板１１０は無色透明に構成されていたが、これに限るものではなく、後方の表示装置２０の表示画面２０Ａが遊技者から問題なく視認可能であれば、導光板は有色透明であっても良い。
【００５０】
また、前記した実施の形態では、導光板として、上部の端面１１１から光を入射させた後、遊技機の前方に向けて反射させて、前方から見た箇所が発光するように導光する導光板１１０を用いて説明したが、これに限るものではない。例えば、上部以外の下部や左右側部から光を入射させる構成の導光板であっても良いし、端面から光を入射させた後、遊技機の前方以外の方向に向けて反射させる構成の導光板であっても良いし、端面から光を入射させた後、反射させずに反対側の端面に光を導光し、反対側の端面が発光するようになっている導光板であっても良い。
【００５１】
さらに、上部又は下部から光を入射させる光源と、左側部又は右側部から光を入射させる光源の、２つの光源を有しており、上部又は下部から光を入射させたときと、左側部又は右側部から光を入射させたときとで、異なる表示がなされるように構成されていても良い。この場合には、２つの光源の双方に遮光カバー部材を設けておく必要がある。
【００５２】
また、導光板、光源、遮光カバー部材、遮光カバー部材の傾斜面などの大きさや形状、材質などは、遊技機において配設される位置やその他の遊技部品との関係などに応じて、適宜に決定すれば良い。
【符号の説明】
【００５３】
１００，１００Ａ…発光演出装置、１１０，１１０Ａ…導光板、１１１，１１１Ａ…端面、１１２，１１２Ａ…端部、１２１，１２１Ａ…ＬＥＤ発光部（光源）、１２２，１２２Ａ…出射面、１３０，１３０Ａ…前遮光カバー部材（遮光カバー部材）、１４０，１４０Ａ…後遮光カバー部材（遮光カバー部材）、１３１，１３１Ａ，１４１…傾斜面、Ｓ１，Ｓ２…遮光空間
【図１】
2015076308.tif 000003
【図２】
2015076308.tif 000004
【図３】
2015076308.tif 000005
【図４】
2015076308.tif 000006
【図５】
2015076308.tif 000007
【図６】
2015076308.tif 000008
【図７】
2015076308.tif 000009
【図８】
2015076308.tif 000010